(57)【要約】【課題】  根管の根尖部を損傷することなく、根尖部の上方に続く根管治療部で軟化牙質を除去するスケーラーチップの提供にある。【解決手段】  スケーラーチップにおいて、チップ先部を新たに加工することのない表面円滑のままとし、先部に続く根管治療部にダイヤモンド微粉末を付着したことを特徴とする。【選択図】      図１
2005348770.tif 000002
【特許請求の範囲】
【請求項１】
根管拡大に用いる超音波スケーラーチップであって、該チップの形態を先端より次第に径を大きくした曲形軸部とし、かつ該軸部にはその先部表面を円滑に形成するとともに、先部に続く根管治療部にダイヤモンドの微粉末を付着したことを特徴とするスケーラーチップ。
【請求項２】
前記スケーラーチップの曲形軸部の形態が鎌形のもので、前記円滑に形成した先部の長さが１m/m〜３m/mであって、前記根管治療部の長さを７m/m〜１２m/mとした請求項１に記載のスケーラーチップ。
【請求項３】
前記スケーラーチップには先端部に向って噴霧する小孔を設けた請求項１又は２に記載のスケーラーチップ。
【発明の詳細な説明】
【技術分野】
【０００１】
本発明はスケーラーチップ、特に根部歯髄に侵入した細菌、異物など軟化牙質を削除し、また根管を拡げる根管拡大に用いるスケーラーチップに関するものである。
【背景技術】
【０００２】
一般に歯肉下の歯石や歯周病のもとになる細菌や異物の除去用としてリーマーと称するドリル状の刃部で根管象牙質を削除することで根管拡大に用いている。また、スケーラーで根管拡大する場合、チップの先部にダイヤモンド微粉末を結着剤で付着するか電着により付着しているものが用いられている。
前記スケーラーは鎌形など軸を曲げたものなどで、歯周病等の治療や予防には用いられているが、曲形のスケーラーを根管が曲っている根管歯髄の除去にそのまま用いると先部に付着したダイヤモンドの微粉末が細くなっている根管内に侵入することで、根管壁にステップと称するわき道拡大といった損傷を招く不都合があった。
【特許文献１】実開昭６２−９０６１５
【非特許文献１】新常用歯科辞典  Ｐ．２８５  医歯薬出版株式会社  昭和６０年１２月１０日  第２版発行
【発明の開示】
【発明が解決しようとする課題】
【０００３】
解決しようとする課題は、スケーラー先部にあるダイヤモンドの微粉末により根管壁を損傷しないようにするとともに、前記スケーラーの先部を先導抗としての役割を果しつつ先部後方に位置するダイヤモンド微粉末により根管を広げるようにすることである。
【課題を解決するための手段】
【０００４】
本発明は、上記課題を解決するためになされたもので、その要旨は根管拡大に用いる超音波スケーラーチップであって、該チップの形態を先端より次第に径を大きくした曲形軸部とし、かつ該軸部にはその先端部表面を円滑に形成するとともに、先部に続く根管治療部にダイヤモンドの微粉末を付着したことを特徴とするスケーラーチップにある。
【０００５】
この発明のスケーラーチップは、単に先端より基部に向って次第に径を大きくして鎌形などの曲形軸部にしただけでなく、先部を円滑に形成することにより根管内の根尖付近を傷付けることなく、その後の超硬金の微細粒子により根管を拡げて軟化牙質を除去するようにした。また、前記先端部を根尖位置の細径に位置させ、これを先導軸としてその後に続くより太径ダイヤモンドなどの微粒子超硬金で根管内を拡げることができるようにした。
【０００６】
本発明の別の要旨はスケーラーチップの形態を鎌形にし、先部の長さを１m/m〜３m/mでそれに続く根管治療部の長さを７m/m〜１２m/mにすることで、曲折した根管内を侵入し易くするとともに、根尖付近を傷付けることなく必要部分のみの根管を拡大するようにした。
本発明の他の要旨は、スケーラーにその先端に向って噴霧する小孔を設け、小孔から水を噴出して根管内の軟化牙質を排出しながら根管を拡大可能にした。
【発明の効果】
【０００７】
本発明のスケーラーチップでは、先端部で最細径の根尖部で傷付けることのないよう先導軸の役割をし、先端部に続く部分を微粒子を付着したダイヤモンド粉末で根管内を拡げるようにした。
また、根管拡大部に水を噴出して細菌や異物などの軟化牙質を排除できるようにした。
本発明のスケーラーチップは、根管拡大には曲形軸部として鎌形のものが適切であり、人歯の大きさからチップ先端の先導管としての長さを１m/m〜３m/mとし、根管治療部の長さを７m/m〜１２m/mとした。
スケーラーチップは、根管拡大だけでなく、チップから噴水して拡大部における軟化牙質を除去するようにした。
【発明を実施するための最良の形態】
【０００８】
根管尖部（歯髄腔）内を損傷することなく、その上方の根管を拡大するといった目的を、先部を先鋭な表面円滑に形成するとともに、先部に続く根管治療部に超硬金の微粒子を付着することで軟化牙質の生じた場所での根管を拡大することを実現した。
【実施例】
【０００９】
図１は、本発明であるスケーラーチップの正面図で、図２は図１の左側面図、図３は図１の右側面図、図４は図１の平面図、図５は図１の底面図で、図６は図１を差し込んで使用するコード部付きスケーラー本体としての把持部の正面図であり、図７は歯の根管治療部を示す縦断面図である。
【００１０】
図において、Ａはスケーラーチップの全体を示す外観であり、その右側円筒部１内部の螺子（図示せず）を、図６のスケーラー本体Ｂの左側先部内にねじ込んで取り付けるようにしている。前記円筒部１の左隣りは断面四角形になっているレンチ受け２で、ここにレンチを入れて、回転することで前記螺子によりスケーラー本体Ｂに取り付けられる。また、スケーラーチップの形態は、前記四角形の先方から４５度程度湾曲して垂れ下がり、先端に行くに従って細くなっている全体として略鎌形のものである。
【００１１】
また、スケーラーチップ本体Ｂには後方のコード部Ｃからの電気又はエアーの接続により、内部に超音波を発生して先方のスケーラーチップに超音波を伝達するように構成されている。
さらに、スケーラーチップの湾曲部３の少し手前の小孔４からはコード部Ｃ及びスケーラー本体Ｂから搬送されてきた水がチップ先部方向に噴出するようになっている。
【００１２】
上記の構成は、スケーラ及びステンレス製スケーラーチップとして通常の歯科医において備えられた周知技術であり、本発明の要部は以下の点にある。すなわち、鎌形に湾曲した先部の根管治療部は、先部５を２m/m残して１０m/mの長さに人工ダイヤモンドの微粒子を電着によって着けた付着部６としていることが特徴である。
上記特徴を有するスケーラーチップを使用すると以下のような利点がある。
スケーラーチップを図７に示す根管７から差し込んで先部を根管７の根尖に至らすが、この先端部分にダイヤモンドの微粒子加工を施したスケーラーチップを入れると根管を傷めてしまう。したがって、スケーラーチップの２m/m程は微粒子加工を施こさないでおく。
この際、先端部分から上方の２m/m〜１０m/m間に施こされたダイヤモンド微粉末は歯根膜炎となっている根管狭窄部を開放して、内圧を減少すると同時に排膿路を求め、排膿したものは噴水により外方へ排出される。
【産業上の利用可能性】
【００１３】
根管拡大治療における本発明のスケーラーチップの利用により、根先部の尖内を損傷することなく、先部に続く治療部位の軟化牙質の排除をすることに適用する。
【図面の簡単な説明】
【００１４】
【図１】本発明のスケーラーチップの正面図である。
【図２】図１の左側面図のである。
【図３】図１の右側面図である。
【図４】図１の平面図である。
【図５】図１の底面図である。
【図６】図１を差し込んで使用するコード部付きスケーラー本体の正面図である。
【図７】根管治療部の縦断面図である。
【符号の説明】
【００１５】
Ａ  スケーラーチップ
Ｂ  スケーラー本体
Ｃ  コード部
１  スケーラーチップの円筒部
２  レンチ受け
３  湾曲部
４  噴水孔
５  スケーラーチップの先部
６  根管治療部（ダイヤモンド粉末付着部）
【図１】
2005348770.tif 000003
【図２】
2005348770.tif 000004
【図３】
2005348770.tif 000005
【図４】
2005348770.tif 000006
【図５】
2005348770.tif 000007
【図６】
2005348770.tif 000008
【図７】
2005348770.tif 000009